(57)【要約】【課題】追従再生のために揮発性メモリに入力信号を常時記録中に、外部からの電力供給が遮断された場合でも、追従再生が可能なように遮断前の入力信号を保持することが可能な記録再生装置を提供する。【解決手段】記録再生装置（録画再生装置１で例示）は、常時記録に用いる揮発性メモリを有するメモリディスク１０の他に、可搬記録媒体用の駆動装置（入出力Ｉ／Ｆ１４で例示）を備える。録画再生装置１の制御部１５は、揮発性メモリへの常時記録時に、入出力Ｉ／Ｆ１４に記録可能な可搬記録媒体が装着されている場合、その可搬記録媒体にバックアップ用の常時記録を行うように入出力Ｉ／Ｆ１４を制御する。【選択図】図１
2010205309.tif 000002
【特許請求の範囲】
【請求項１】
入力信号を再生する再生部と、揮発性メモリを有し該入力信号を該揮発性メモリに記録する記録部と、前記再生部で前記入力信号を再生中、前記記録部に対して前記揮発性メモリに前記入力信号を記録させ、前記揮発性メモリに記録された前記入力信号をユーザ操作に応じて任意の時点から前記再生部で再生させる記録再生制御部と、を備えた記録再生装置であって、
当該記録再生装置は、可搬記録媒体用の駆動装置をさらに備え、
前記記録再生制御部は、前記揮発性メモリへの前記再生中の記録時に、前記駆動装置に記録可能な可搬記録媒体が装着されている場合、前記可搬記録媒体にバックアップ用の記録を行うように前記駆動装置を制御することを特徴とする記録再生装置。
【請求項２】
前記記録再生制御部は、前記揮発性メモリへの前記再生中の記録時に、前記駆動装置に記録可能な可搬記録媒体が装着されている場合、所定条件を満たす場合にのみ、前記可搬記録媒体にバックアップ用の記録を行うように前記駆動装置を制御することを特徴とする請求項１に記載の記録再生装置。
【請求項３】
前記所定条件は、前記可搬記録媒体が書き換え可能な記録媒体であるという条件を含むことを特徴とする請求項２に記載の記録再生装置。
【請求項４】
前記所定条件は、前記可搬記録媒体の記録可能な容量が第１の所定容量以上あるという条件を含むことを特徴とする請求項２又は３に記載の記録再生装置。
【請求項５】
前記所定条件は、ユーザ設定により前記可搬記録媒体への前記バックアップ用の記録が許可されているという条件を含むことを特徴とする請求項２〜４のいずれか１項に記載の記録再生装置。
【請求項６】
前記所定条件は、前記可搬記録媒体への前記再生中の記録が所定回数未満のみ実行されているという条件を含むことを特徴とする請求項２〜５のいずれか１項に記載の記録再生装置。
【請求項７】
前記所定条件は、前記可搬記録媒体に対する記録予約が設定されていないという条件を含むことを特徴とする請求項２〜６のいずれか１項に記載の記録再生装置。
【請求項８】
前記所定条件は、過去の一定期間に停電が発生したという履歴があるという条件を含むことを特徴とする請求項２〜７のいずれか１項に記載の記録再生装置。
【請求項９】
前記所定条件は、前記可搬記録媒体へのデータ書き込み時の欠陥領域のエラーが、所定頻度又は所定回数に至っていないという条件を含むことを特徴とする請求項２〜８のいずれか１項に記載の記録再生装置。
【請求項１０】
前記記録再生制御部は、前記可搬記録媒体の記録可能な容量が第２の所定容量以下になったときに、前記可搬記録媒体から前記バックアップ用に記録した入力信号のみを消去するように、前記駆動装置を制御することを特徴とする請求項１〜９のいずれか１項に記載の記録再生装置。
【請求項１１】
前記記録再生制御部は、当該記録再生装置の電源がユーザによりオフ操作された場合又は前記揮発性メモリへの前記再生中の記録がユーザにより停止操作された場合に、前記可搬記録媒体から前記バックアップ用に記録した入力信号のみを消去するように、前記駆動装置を制御することを特徴とする請求項１〜１０のいずれか１項に記載の記録再生装置。
【請求項１２】
入力信号を再生する再生部と、揮発性メモリを有し該入力信号を該揮発性メモリに記録する記録部と、可搬記録媒体用の駆動装置と、制御部と、を備えた記録再生装置における記録再生方法であって、
前記制御部が、前記再生部で前記入力信号を再生中、前記記録部に対して前記揮発性メモリに前記入力信号を記録させるステップと、
前記制御部が、前記揮発性メモリに前記記録された前記入力信号をユーザ操作に応じて任意の時点から前記再生部で再生させるステップと、を含み、
前記揮発性メモリへの前記再生中の記録時に、前記制御部が、前記駆動装置に記録可能な可搬記録媒体が装着されているか否かを判定する判定ステップと、
該判定ステップで装着されていると判定された場合、前記制御部が、前記可搬記録媒体にバックアップ用の記録を行うように前記駆動装置を制御するステップと、
をさらに含むことを特徴とする記録再生方法。
【発明の詳細な説明】
【技術分野】
【０００１】
本発明は、記録再生装置及び記録再生方法に関し、より詳細には、揮発性メモリに放送信号を常時記録し任意の点から再生させることが可能な、記録再生装置及び記録再生方法に関する。
【背景技術】
【０００２】
従来から、ハードディスクなどに受信中の放送番組を、後の再生のために自動的に常時録画しておく録画再生装置が流通している。これは、ユーザが視聴などのために選局を行うと、そのチャンネルの放送番組を自動的に順次記録するもので、ハードディスクが一杯になった場合は、記録した内容を古い箇所から順に上書きしていくことで、常に所定時間の最新の番組を遡って再生（追従再生）可能とするものである。
【０００３】
例えば、特許文献１に記載のテレビ受像機は、放送された番組の映像及び音響信号を含むテレビ信号を受信するテレビ受信手段と、受信したテレビ信号をランダムアクセス可能な記録媒体に記録する記録手段と記録媒体に記録しつつあるテレビ信号を任意の時点から再生し得る再生手段とを具備する記録再生手段と、再生されたテレビ信号の映像信号により表わされる映像を表示する映像表示手段と、再生されたテレビ信号の音声信号により表わされる音声を出力する音声出力手段と、記録再生手段による再生の停止及び再開を制御するための制御入力手段とを備えている。
【０００４】
一方で、従来から、ハードディスクに見せかけるためにＳＤＲＡＭ（Synchronous Dynamic Random Access Memory）等の揮発性メモリや不揮発性メモリを用いるデータ保存装置（メモリディスクと呼ぶ）がコンピュータで用いられている。
【先行技術文献】
【特許文献】
【０００５】
【特許文献１】特許第２９３５７８８号公報
【発明の概要】
【発明が解決しようとする課題】
【０００６】
上述したように常時録画を行う記録媒体としてはハードディスクが一般的ではあるが、高速性、静音性、消費電力、発熱、耐衝撃性などの観点から半導体メモリを用いることが望ましい。
【０００７】
しかしながら、この半導体メモリとしてＳＤＲＡＭ等の揮発性メモリを用いる場合、停電などにより電力供給が絶たれると、常時録画した記憶内容が失われてしまい、追従再生ができなくなる。
【０００８】
また、特許文献１に記載のテレビ受像機では、ランダムアクセス可能な記録媒体として揮発性メモリを採用することは全く考慮されていない。従って、このテレビ受像機において記録媒体として仮に揮発性メモリを採用した場合でも、停電等の予期せぬ電源遮断状態に対して、記録した放送信号を保持する手段を持たないため追従再生ができなくなる。
【０００９】
本発明は、上述のような実状に鑑みてなされたものであり、その目的は、追従再生のために揮発性メモリに入力信号を常時記録中に、外部からの電力供給が遮断された場合でも、追従再生が可能なように遮断前の入力信号を保持することが可能な、記録再生装置及び記録再生方法を提供することにある。
【課題を解決するための手段】
【００１０】
上述の課題を解決するために、本発明の第１の技術手段は、入力信号を再生する再生部と、揮発性メモリを有し該入力信号を該揮発性メモリに記録する記録部と、前記再生部で前記入力信号を再生中、前記記録部に対して前記揮発性メモリに前記入力信号を記録させ、前記揮発性メモリに記録された前記入力信号をユーザ操作に応じて任意の時点から前記再生部で再生させる記録再生制御部と、を備えた記録再生装置であって、当該記録再生装置は、可搬記録媒体用の駆動装置をさらに備え、前記記録再生制御部は、前記揮発性メモリへの前記再生中の記録時に、前記駆動装置に記録可能な可搬記録媒体が装着されている場合、前記可搬記録媒体にバックアップ用の記録を行うように前記駆動装置を制御することを特徴としたものである。
【００１１】
第２の技術手段は、第１の技術手段において、前記記録再生制御部は、前記揮発性メモリへの前記再生中の記録時に、前記駆動装置に記録可能な可搬記録媒体が装着されている場合、所定条件を満たす場合にのみ、前記可搬記録媒体にバックアップ用の記録を行うように前記駆動装置を制御することを特徴としたものである。
【００１２】
第３の技術手段は、第２の技術手段において、前記所定条件は、前記可搬記録媒体が書き換え可能な記録媒体であるという条件を含むことを特徴としたものである。
【００１３】
第４の技術手段は、第２又は第３の技術手段において、前記所定条件は、前記可搬記録媒体の記録可能な容量が第１の所定容量以上あるという条件を含むことを特徴としたものである。
【００１４】
第５の技術手段は、第２〜第４のいずれかの技術手段において、前記所定条件は、ユーザ設定により前記可搬記録媒体への前記バックアップ用の記録が許可されているという条件を含むことを特徴としたものである。
【００１５】
第６の技術手段は、第２〜第５のいずれかの技術手段において、前記所定条件は、前記可搬記録媒体への前記再生中の記録が所定回数未満のみ実行されているという条件を含むことを特徴としたものである。
【００１６】
第７の技術手段は、第２〜第６のいずれかの技術手段において、前記所定条件は、前記可搬記録媒体に対する記録予約が設定されていないという条件を含むことを特徴としたものである。
【００１７】
第８の技術手段は、第２〜第７のいずれかの技術手段において、前記所定条件は、過去の一定期間に停電が発生したという履歴があるという条件を含むことを特徴としたものである。
【００１８】
第９の技術手段は、第２〜第８のいずれかの技術手段において、前記所定条件は、前記可搬記録媒体へのデータ書き込み時の欠陥領域のエラーが、所定頻度又は所定回数に至っていないという条件を含むことを特徴としたものである。
【００１９】
第１０の技術手段は、第１〜第９のいずれかの技術手段において、前記記録再生制御部は、前記可搬記録媒体の記録可能な容量が第２の所定容量以下になったときに、前記可搬記録媒体から前記バックアップ用に記録した入力信号のみを消去するように、前記駆動装置を制御することを特徴としたものである。
【００２０】
第１１の技術手段は、第１〜第１０のいずれかの技術手段において、前記記録再生制御部は、当該記録再生装置の電源がユーザによりオフ操作された場合又は前記揮発性メモリへの前記再生中の記録がユーザにより停止操作された場合に、前記可搬記録媒体から前記バックアップ用に記録した入力信号のみを消去するように、前記駆動装置を制御することを特徴としたものである。
【００２１】
第１２の技術手段は、入力信号を再生する再生部と、揮発性メモリを有し該入力信号を該揮発性メモリに記録する記録部と、可搬記録媒体用の駆動装置と、制御部と、を備えた記録再生装置における記録再生方法であって、前記制御部が、前記再生部で前記入力信号を再生中、前記記録部に対して前記揮発性メモリに前記入力信号を記録させるステップと、前記制御部が、前記揮発性メモリに前記記録された前記入力信号をユーザ操作に応じて任意の時点から前記再生部で再生させるステップと、を含み、前記揮発性メモリへの前記再生中の記録時に、前記制御部が、前記駆動装置に記録可能な可搬記録媒体が装着されているか否かを判定する判定ステップと、該判定ステップで装着されていると判定された場合、前記制御部が、前記可搬記録媒体にバックアップ用の記録を行うように前記駆動装置を制御するステップと、をさらに含むことを特徴としたものである。
【発明の効果】
【００２２】
本発明によれば、追従再生のために揮発性メモリに入力信号を常時記録中に、外部からの電力供給が遮断された場合でも、追従再生が可能なように遮断前の入力信号を保持することが可能になる。
【図面の簡単な説明】
【００２３】
【図１】本発明に係る録画再生装置の一構成例を示すブロック図である。
【図２】図１の録画再生装置におけるＳＤＲＡＭを用いたメモリディスクの一構成例を示す図である。
【図３】図１の録画再生装置における常時録画処理の一例を説明するためのフロー図である。
【図４】図１の録画再生装置における常時録画処理の他の例を説明するためのフロー図である。
【図５】図３又は図４の常時録画処理における所定条件判定処理の一例を説明するためのフロー図である。
【発明を実施するための形態】
【００２４】
本発明に係る記録再生装置は、入力信号を再生する再生部と、揮発性メモリを有し、その入力信号をその揮発性メモリに記録する記録部と、記録再生制御部と、を備えることを前提とする。この記録部は、所謂メモリディスクと呼ばれるものの一種である。この記録再生制御部は、再生部で入力信号を再生中に、記録部に対して揮発性メモリに入力信号を記録させる（以下、この再生中の記録のことを「常時記録」という）と共に、揮発性メモリに常時記録された入力信号をユーザ操作に応じて任意の時点から再生部で再生させる。つまり、この記録再生制御部は、揮発性メモリを用いて追っかけ再生（追従再生）を行うような制御を行う。
【００２５】
以下、本発明に係る記録再生装置について、図面を参照しながら説明する。但し、以下の説明では、入力信号が、放送受信部で受信した映像信号及び音声信号の双方を含む放送信号であることを前提とし、本発明に係る記録再生装置について録画再生装置を挙げているが、例えばラジオ用の記録再生装置として構成することもできる。また、入力信号としては、放送信号の他に、他の録画装置等からダビング用に入力された映像及び／又は音声の信号、チューナ機器から外部入力された映像及び／又は音声の信号、ネットワーク経由でサーバ装置等からダウンロード用に入力された映像及び／又は音声の信号なども適用できる。
【００２６】
図１は、本発明に係る録画再生装置の一構成例を示すブロック図で、図２は、図１の録画再生装置におけるＳＤＲＡＭを用いたメモリディスクの一構成例を示す図である。
【００２７】
図１で例示する録画再生装置１は、メモリディスク１０、チューナ１２、トランスコーダ１３、入出力Ｉ／Ｆ（Interface）１４、制御部１５、リモコン受信部１６、デコーダ１７、音声出力部１８、及び表示出力部１９を備えている。
【００２８】
制御部１５は、上記記録再生制御部を含み、装置全体を制御するためのＣＰＵ（Central Processing Unit）、ＲＡＭ（Random Access Memory）、ＲＯＭ（Read Only Memory）等で構成される。制御部１５では、以下に説明するような処理手順を実行するためのコンピュータ読み取り可能なプログラムを、ＣＰＵでＲＡＭに読み出しながら実行できるように、ＲＯＭ等に格納しておけばよい。
【００２９】
リモコン受信部１６は、リモコン等の操作入力手段からの操作信号を受光する受光部を備え、受光した操作信号を解釈して制御部１５に渡している。追従再生を行う際の再生位置の操作（戻し操作やその後の送り操作など）も、リモコン等を介してリモコン受信部１６が受け取ることになる。なお、操作は録画再生装置１の本体に具備した図示しない操作ボタンによっても可能である。
【００３０】
チューナ１２は、上記放送受信部の一例であり、アンテナ１１を経由してデジタル放送波を受信できる構成を有する。勿論、チューナ１２は、アナログ放送波とデジタル放送波の両方を受信できる構成としてもよいし、アナログ放送波のみを受信できる構成としてもよい。また、ＳＴＢ（Set Top Box）などによりチューナを外部接続する場合には、チューナ１２を設けなくてもよい。チューナ１２や外部接続のための端子等は、トランスコーダ１３、制御部１５、及びデコーダ１７等でなるバックエンド部に対して、フロントエンド部と呼ばれることもある。
【００３１】
上記再生部は、主として、デコーダ１７、音声出力部１８、及び表示出力部１９で例示できる。音声出力部１８は、アンテナ１１を経由して受信したデジタル放送番組や可搬記録媒体やメモリディスク１０内に記録されたコンテンツの音声データに対して各種処理を施す音声処理部と、処理後の音声データを図示しない内蔵スピーカ又は外部スピーカに音声として出力する音声出力端子とで、主に構成される。
【００３２】
表示出力部１９は、アンテナ１１を経由して受信したデジタル放送番組や、可搬記録媒体やメモリディスク１０内に記録されたコンテンツの映像データ及び付加データに対して、各種映像処理を施す映像処理部と、処理後の映像データ等を図示しない内蔵又は外部接続された表示装置に出力する映像出力端子とで、主に構成される。この表示装置としては、例えば、ＣＲＴ（Cathode-ray Tube）装置、プラズマ表示装置、液晶表示装置、有機／無機ＥＬ（electroluminescence）装置などが挙げられる。また、表示出力部１９は、制御部１５の制御によって生成される録画コンテンツの一覧や、特定の録画コンテンツから生成した複数のサムネイルの一覧などを上記表示装置に出力することも可能である。
【００３３】
録画再生装置１を用いてデジタル放送を視聴する場合、チューナ１２は、アンテナ１１から入力された高周波信号（デジタル変調信号）を復調し、その復調信号をデコーダ１７に入力する。デコーダ１７は、入力された復調信号を映像信号と音声信号と付加信号とに分離して復号した後、その復号信号から表示制御出力信号及びそれに同期した音声制御出力信号を生成し、その表示制御出力信号を表示出力部１９に出力し、音声制御出力信号を音声出力部１８に出力する。なお、上記表示制御出力信号は、付加信号から生成された復号信号を映像信号から生成された復号信号に重畳した信号に関する信号である。
【００３４】
表示出力部１９から出力された表示制御出力信号は、内蔵又は外部接続されたテレビ装置又はモニタ装置などの表示装置に入力され、その表示画面により、ユーザは表示制御出力信号に対応したデジタル放送番組の映像及び付加情報を見ることができる。音声出力部１８から出力された音声制御出力信号は、内蔵又は外部接続されたテレビ装置又はモニタ装置などのスピーカ付き表示装置に入力され、そのスピーカにより、ユーザは音声制御出力信号に対応したデジタル放送番組の音声を聴くことができる。なお、チューナ１２をアナログ放送受信可能に構成した場合には、デコーダ１７もアナログ対応可能に構成しておけば、そのアナログ放送を視聴することが可能である。
【００３５】
また、ユーザ操作に応じた追従再生時など、後述するメモリディスク１０又は可搬記録媒体に記録されているコンテンツを再生する場合、デコーダ１７は、メモリディスク１０又は可搬記録媒体に記録されているコンテンツのデータを復号した後、映像データ及び付加データについては映像出力可能な形式に変換して表示出力部１９に出力し、音声データについては音声出力可能な形式に変換して、音声出力部１８に映像データと同期させて出力する。
【００３６】
上記記録部は、主としてメモリディスク１０で例示できる。メモリディスク１０は、揮発性メモリを有し、ＡＴＡブリッジ（Advanced Technology Attachment Bridge）２０により、制御部１５に設けられたＡＴＡ  Ｉ／Ｆ１５ｂと接続されている。この接続により、制御部１５とメモリディスク１０との間でのデータのやり取りが可能になる。なお、ＡＴＡ規格に基づき制御部１５とメモリディスク１０とが接続された例を示しているが、ＳＡＴＡ（Serial ATA）規格やＳＣＳＩ（Small Computer System Interface）規格など他の規格に基づいて接続してもよい。但し、ここで例示したような規格を採用することで、制御部１５からメモリディスク１０がハードディスクのように見えるため、好ましい。
【００３７】
メモリディスク１０の構成例について、図２を参照しながら説明する。但し、ここで説明する構成例に限らず、揮発性メモリを用いた記録部であればよい。例えば、揮発性メモリとしてＳＤＲＡＭを用いた例を挙げるが、他種のＤＲＡＭ（Dynamic RAM）や、擬似ＳＲＡＭ（Pseudo Static RAM）など他の揮発性メモリを採用することができる。他種のＤＲＡＭとしては、ＤＤＲ（Double Data Rate）  ＳＤＲＡＭ、ＤＤＲ２  ＳＤＲＡＭ、ＤＤＲ３  ＳＤＲＡＭ、発売が予定されているＤＤＲ４  ＳＤＲＡＭなど、様々なものが挙げられる。また、ここで例示した各揮発性メモリはリフレッシュが必要なものであるが、リフレッシュ不要で僅かな消費電力で記憶保持が可能なＳＲＡＭ（Static RAM）も適用することができる。
【００３８】
メモリディスク１０は、ＡＴＡブリッジ２０の他に、ファイルシステムコントローラ（File System Controller）２１、３つのメモリコントローラ（Memory Controller）２２ａ，２２ｂ，２２ｃ、ＳＤＲＡＭ２３ａ〜２３ｄ，２３ａ′〜２３ｄ′、ＳＤＲＡＭ２４ａ〜２４ｄ、ＳＤＲＡＭ２５ａ〜２５ｄ、電源制御回路２６、及びバッテリ２７を備えている。但し、後述するように本発明においてバッテリ２７は必須ではなく、ＡＣ電源が電源制御回路２６に直接供給されているだけでもよい。
【００３９】
ファイルシステムコントローラ２１は、全てのＳＤＲＡＭで記憶領域が構成されるファイルシステムを制御する。ファイルシステムコントローラ２１には、メモリコントローラとそれによりデータの読み書きが制御されるＳＤＲＡＭとで構成されるモジュール（この例では３つのモジュール）が並列に接続されている。メモリコントローラ２２ａ，２２ｂ，２２ｃは、ファイルシステムコントローラ２１によりデータの読み書きが制御される。なお、１つのモジュール内に具備される揮発性メモリは、メモリコントローラを共通とするため全て同じ種類（ＳＤＲＡＭで例示するように同じ規格。但し記憶容量は異なってもよい。）とするが、異なるモジュール同士は異なる種類の揮発性メモリを採用してもよい。例えば、１つのモジュールでＤＤＲ２を搭載し、他のモジュールでＤＤＲ３を搭載してもよい。
【００４０】
ＳＤＲＡＭ２３ａ〜２３ｄ，２３ａ′〜２３ｄ′、ＳＤＲＡＭ２４ａ〜２４ｄ、ＳＤＲＡＭ２５ａ〜２５ｄは、それぞれ、メモリコントローラ２２ａ、メモリコントローラ２２ｂ、メモリコントローラ２２ｃによりデータの読み書きが制御される。ＳＤＲＡＭ２３ａ〜２３ｄがメモリコントローラ２２ａに、ＳＤＲＡＭ２４ａ〜２４ｄがメモリコントローラ２２ｂに、それぞれ並列に接続されているように、各ＳＤＲＡＭはメモリコントローラに並列に接続されている。また、ＳＤＲＡＭ２３ａ，２３ａ′で例示したように複数のＳＤＲＡＭが直列で接続されていてもよい。ＳＤＲＡＭは応答速度が速いためこのような接続方法を採用しても支障無く処理を遂行できる。また、１つのメモリコントローラに並列接続する各ＳＤＲＡＭ（ＳＤＲＡＭ群）はお互い同じ記憶容量を持たせて均一に記憶領域を分散することが好ましい。
【００４１】
このように、メモリコントローラ２２ａ，２２ｂ，２２ｃは、ファイルシステムコントローラ２１からの制御に基づき、それぞれＳＤＲＡＭ２３ａ，２３ｂ、ＳＤＲＡＭ２４ａ〜２４ｄ、ＳＤＲＡＭ２５ａ〜２５ｄに対するデータの読み書きを制御する。
【００４２】
そして、メモリディスク１０は、放送信号が示すデータ、つまり録画データ（映像・音声データ）を保存する際、その録画データを管理するための管理データも保存する。この管理データには、録画データのタイトルや録画時刻などの情報をはじめ、録画データの保存領域などの情報も、通常含まれる。
【００４３】
メモリディスク１０は、ＡＣ電源から電力の供給を受けているが、停電時や電源コードが抜かれた時などの電力供給遮断時に直ぐにデータが喪失してしまうことを防止するために、バッテリ２７で例示した蓄電池を搭載（又は接続）している。電源制御回路２６は、ＡＣ電源からの電力供給が停止した時に、バッテリ２７から各モジュールへの電源供給を行う。このとき、データの復旧を鑑みて、録画データを保存しているモジュールより管理データを保存しているモジュールに優先的に電源供給を行うことが望ましい。そのためには、ファイルシステムコントローラ２１が、録画データと管理データとを別々のモジュールに保存するように事前に割り当てを行っておけばよい。
【００４４】
メモリディスク１０として、バッテリ２７を搭載した例を挙げたが、バッテリ２７の存在によっても、外部電力供給遮断時が長時間続くとバッテリ２７の電池残量が足りずにＳＤＲＡＭ内のデータが全て喪失してしまい、その復旧もできない。バッテリ２７を搭載しない場合には外部電力供給遮断後わずかでＳＤＲＡＭ内のデータが全て喪失してしまう。
【００４５】
このような問題に対処するために、本発明に係る録画再生装置１は、可搬記録媒体用の駆動装置を備え、上述した記録再生制御部が、記録可能な可搬記録媒体が装着（挿入）されている場合にバックアップ用としてこの可搬記録媒体への常時記録を行うように、上記駆動装置を制御している。記録再生制御部は、上述したように制御部１５に含まれるため、以降、制御部１５による制御として、上記駆動装置への常時記録の制御について説明する。
【００４６】
上記駆動装置の一例として録画再生装置１は、入出力Ｉ／Ｆ１４を備えている。入出力Ｉ／Ｆ１４は、ＢＤ（Blu-Ray Disc），ＤＶＤ（Digital Versatile Disc），ＵＳＢ（Universal Serial Bus）メモリ等の可搬記録媒体を装着してデータの入出力（書き込み／読み出し）を行う。この可搬記録媒体は、ディスク型であるか否かに拘わらず、リムーバブルディスクと呼ばれることもある。入出力Ｉ／Ｆ１４は、制御部１５に設けたＩ／Ｆ１５ａを介して、制御部１５とのデータのやり取りを行う。入出力Ｉ／Ｆ１４においても、放送信号が示すデータ、つまり録画データ（映像・音声データ）を可搬記録媒体に記録する際には、その録画データを管理するための管理データの記録も行う。
【００４７】
そして、制御部１５は、揮発性メモリ（メモリディスク１０内の揮発性メモリ）への放送信号の常時記録時に、入出力Ｉ／Ｆ１４に記録可能な可搬記録媒体が装着（挿入）されている場合、その可搬記録媒体にバックアップ用の常時記録を行うように入出力Ｉ／Ｆ１４を制御する。ここで、記録可能な可搬記録媒体か記録不可能な可搬記録媒体かは、制御部１５が、入出力Ｉ／Ｆ１４を介して、装着された可搬記録媒体の記録可（つまり記録再生共用）／記録不可（つまり再生専用）を示す種別をチェックするなどして判定すればよい。また、可搬記録媒体への放送信号の常時記録はあくまでバックアップ用であり、当然このバックアップを実行する際にも揮発性メモリへの放送信号の常時記録は実行する。
【００４８】
追従再生時には、録画再生装置１は、まずメモリディスク１０を参照してユーザに指定された点から再生を試み、再生ができない場合（つまり停電などの要因によりメモリディスク１０内のデータが再生できる程度に保存されていない場合）に、入出力Ｉ／Ｆ１４を介して可搬記録媒体内のデータを探して再生させる。
【００４９】
このように、本発明に係る録画再生装置１では、追従再生のためにメモリディスク１０内の揮発性メモリに受信した放送信号を常時記録中に、外部からの電力供給が遮断された場合でも、遮断前の放送信号を追従再生が可能なように可搬記録媒体で保持することが可能になり、遮断前の放送信号のデータを入出力Ｉ／Ｆ１４を介してこの可搬記録媒体から読み出すことで、ユーザが視聴したい番組の任意の点から追従再生を行うことができる。このような効果は、バッテリ２７を搭載しなくても或いは搭載したバッテリ２７の電池残量が無くなったときでも奏するものである。
【００５０】
また、録画再生装置１は、メモリディスク１０及びＢＤ等の駆動装置（入出力Ｉ／Ｆ１４）を備え、放送信号が示すデータをそれら双方に常時記録することが可能に構成されているが、この構成は、専用のハードウェア構成を必要とせず、ユーザが通常録画に使用するためのメモリディスク１０と可搬記録媒体の駆動装置とを利用することで実現できるため、設計が容易であると共に安価な構成となり経済的である。この録画再生装置１は、例えば、デジタルチューナが内蔵されたＢＤ等の駆動装置付きのメモリディスクレコーダ、デジタルチューナを外部接続可能なＢＤ等の駆動装置付きのメモリディスクレコーダ、ＢＤ等の駆動装置及びメモリディスクが内蔵されたテレビ装置又はモニタ装置などとして、適宜構成することができる。
【００５１】
さらに、本発明に係る録画再生装置１では、常時録画を開始した時点でメモリディスク１０の記録可能容量より可搬記録媒体の記録可能容量の方が大きい場合、可搬記録媒体の方がより過去に遡って追従再生を行うことができる。従って、追従再生時には、ユーザの戻し操作に従って、メモリディスク１０内にデータが存在しない位置まで遡った場合には、制御部１５は入出力Ｉ／Ｆ１４を介して可搬記録媒体からデータを検索するようにしてもよい。
【００５２】
次に、メモリディスク１０や入出力Ｉ／Ｆ１４を介した可搬記録媒体への録画に関して補足する。本発明に関する常時録画時など、受信した放送信号が示すデータであるデジタル放送番組（デジタル放送コンテンツ）をそのまま録画する場合、チューナ１２がアンテナ１１から入力された高周波信号（デジタル変調信号）を復調して、制御部１５がメモリディスク１０に記録したり、入出力Ｉ／Ｆ１４を介してＢＤ等の各種可搬記録媒体に記録したりする。また、録画再生装置１では、可搬記録媒体に記録済みのコンテンツを入出力Ｉ／Ｆ１４を介してメモリディスク１０へ移動又はそのままコピーすることや、逆にメモリディスク１０に記録済みのコンテンツを入出力Ｉ／Ｆ１４を介して可搬記録媒体へ移動又はそのままコピーすることなども可能に構成できる。従って、電源供給復旧後の可搬記録媒体からの追従再生時に、可搬記録媒体からメモリディスク１０にデータをコピーして高速アクセス可能な状態で追従再生を行うようなことも可能である。
【００５３】
本発明に関する常時録画時など、受信したデジタル放送番組を録画する際には、レート変換してから録画してもよい。トランスコーダ１３はこのようなレート変換のために設けられている。トランスコーダ１３は、圧縮符号化された映像データを逆量子化し、量子化ステップ（量子化幅、量子化スケール、量子化係数などとも呼ばれる）を変更して再量子化することで、圧縮処理を行う。また、トランスコーダ１３は、メモリディスク１０や可搬記録媒体に記録済みのコンテンツをレート変換して録画することも可能である。また、レート変換処理は、入力されたデータに対して規格を変えることなく実行することもできるし、ＭＰＥＧ（Moving Picture Experts Group）−２規格のＴＳデータをＨ．２６４／ＡＶＣ（Advanced Video Coding）規格のＴＳデータへ変換するなど、入力されたデータをそのデータの規格と異なる規格のデータに変換しながら行うことも可能である。
【００５４】
また、トランスコーダ１３の代わりに、圧縮符号化されたデータを復号後に再符号化して記録する装置（エンコーダを含む装置）を採用することもできる。図１の例で説明すると、録画再生装置１において、トランスコーダ１３の代わりにエンコーダを設け、デコーダ１７で復号された映像データをそのエンコーダで再符号化するように構成しておけばよい。また、このエンコーダをトランスコーダ１３と併設して再量子化のみ及び再符号化の双方の処理により圧縮できるように構成することもできる。
【００５５】
また、録画再生装置１をアナログ放送受信可能な構成とし、受信したアナログ放送番組を録画する場合、アンテナ１１から入力された高周波信号（アナログ変調信号）をチューナ１２が復調し、エンコーダがその復調信号を符号化し、符号化したデータを記録に適した形式（例えばプログラムストリーム）に変換してメモリディスク１０又は可搬記録媒体に記録すればよい。
【００５６】
以下、本発明に係る録画再生装置１における常時録画処理の好適な例について図３〜図５を参照しながら説明する。
【００５７】
制御部１５は、メモリディスク１０内の揮発性メモリへの常時記録時に、入出力Ｉ／Ｆ１４に記録可能な可搬記録媒体が装着されている場合、所定条件を満たす場合にのみ、可搬記録媒体にバックアップ用の常時記録を行うように入出力Ｉ／Ｆ１４を制御することが望ましい。所定条件の例は、後述するが、ユーザの設定内容、ディスクの種類・状態、書き込みや停電の実績などの条件を採用し、採用した条件によりバックアップの実行／停止を適時制御すればよい。
【００５８】
このような制御について図３を参照して具体的に説明する。図３は、図１の録画再生装置における常時録画処理の一例を説明するためのフロー図である。まず、制御部１５は、常時録画のユーザ指示があったか否かを判定する（ステップＳ１）。常時録画のユーザ指示とは、例えば追従再生モード／非追従再生モードがユーザ選択可能に構成されている場合には、追従再生モードへの移行指示としてもよい。ユーザ指示自体は、上述したように本体設置のボタンやリモコンで行えばよい。勿論、デフォルトで常時録画を行うような設定になっていた場合や元々常に常時録画を行うような装置である場合には、このような判定は不要である。
【００５９】
ステップＳ１でＹＥＳの場合、制御部１５は、記録可能な可搬記録媒体（以下、記録可能メディアという）が装着されているか否かを入出力Ｉ／Ｆ１４を介して判定する（ステップＳ２）。この判定のタイミングは、ステップＳ１でＹＥＳの時点でよいが、可搬記録媒体が装着された時点で判定を行っておき、少なくともその可搬記録媒体が取り外されるまで制御部１５内のメモリにその判定結果を保持しておいてもよい。
【００６０】
ステップＳ２でＮＯの場合、制御部１５は、メモリディスク１０のみに放送信号を常時録画する（ステップＳ６）。このとき、常にメモリディスク１０に録画した直後のデータ又は予め定められた時間遅れのデータを音声出力部１８及び表示出力部１９から出力するように、制御部１５が制御を行うことで、ユーザから過去に遡るような操作があったとしても直ぐに対応できるため好ましい。勿論、ユーザが過去に遡るように追従再生する操作を行わなかった場合には、チューナ１２で受信したデータをそのままデコーダ１７で復号して音声出力部１８及び表示出力部１９から出力するようにしておき、そのような追従再生する操作があった時点でメモリディスク１０内のデータを再生するように切り替えてもよい。
【００６１】
ステップＳ２でＹＥＳの場合、制御部１５は、内部のメモリなどに格納しておいた所定条件を満たすか否かを判定する（ステップＳ３）。ステップＳ３でＮＯの場合にはステップＳ６へ進む。
【００６２】
ステップＳ３でＹＥＳの場合には、制御部１５は、メモリディスク１０・記録可能メディアの双方に放送信号を常時録画するよう、メモリディスク１０及び入出力Ｉ／Ｆ１４を制御する（ステップＳ４）。ステップＳ４においても、ステップＳ６で説明したように、常にメモリディスク１０に録画した直後や規定の時間遅れのデータを音声出力部１８及び表示出力部１９から出力するように制御することが好ましい。
【００６３】
また、ステップＳ４では双方への常時録画を同時に開始する例を示したが、メモリディスク１０への常時録画は、記録可能メディアへの常時録画が決定する前（つまりステップＳ３の判定前）に開始してもよい。その場合、双方でタイムラグが生じるが、例えばメモリディスク１０内に保存されたデータを記録可能メディアへコピーするなどすれば、記録可能メディアへもメモリディスク１０内と同様のデータが格納できる。
【００６４】
ステップＳ４又はステップＳ６の処理後、制御部１５は、電源オフ操作があったか否かを判定し（ステップＳ５）、あれば処理を終了し、なければステップＳ２へ戻る。なお、オフ操作とは、待機状態にする操作も含めてもよい。ここで流れを図示していないが、ステップＳ２へ戻る代わりに、ステップＳ４を経た場合にはステップＳ３へ戻り、ステップＳ６を経た場合にはステップＳ２に戻るかステップＳ６を継続しておくようにしてもよい。なお、ステップＳ１の判定を行う場合、ステップＳ５では、電源オフ操作の有無の判定と併せて、常時録画終了のユーザ指示があったか否かを判定し、この指示があった場合にもＹＥＳと判定してもよい。
【００６５】
図４を参照して、図３の処理例とは異なる処理例を説明する。図４は、図１の録画再生装置における常時録画処理の他の例を説明するためのフロー図である。まず、制御部１５は、図３のステップＳ１〜Ｓ４，Ｓ６と同様の処理を行う（ステップＳ１１〜Ｓ１４，Ｓ１８）。
【００６６】
ステップＳ１８の処理後、図３のステップＳ５と同様の判定、つまり電源オフ操作があるか否か（並びに常時録画終了指示があるか否か）の判定を行う（ステップＳ１９）。なお、ここでのオフ操作にも、待機状態にする操作を含めてよい。ステップＳ１９でＹＥＳの場合には処理を終了し、ＮＯの場合にはステップＳ１２へ戻る。ここでもステップＳ１２に戻る代わりに、ステップＳ１９でＹＥＳとなるまで、ステップＳ１８の処理を継続してもよい。
【００６７】
また、ステップＳ１９で待機状態へ移行する操作か常時録画終了操作かによりＹＥＳとなった場合には、メモリディスク１０内の常時録画した録画データを消去してから、待機状態へ移行又は非常時録画状態へ移行するようにしてもよい。ここでの消去とは、録画データ自体を消してもよい（或いは消えるようにリフレッシュ等を実行しないようにしてもよい）し、録画データの管理情報（管理データ）だけを消して、後に上書き（書き込み）可能な状態にしておいてもよい。なお、電源をオフしメモリディスク１０への電源供給もストップするようなオフ操作がなされた場合には、メモリディスク１０への電源供給停止により、録画データは自動的に消去される。
【００６８】
一方、ステップＳ１４の処理後、制御部１５は、入出力Ｉ／Ｆ１４を介して記録可能メディアの記録可能な容量（つまり残量）が所定容量Ｒ１以下になったか否かを判定する（ステップＳ１５）。なお、Ｒ１は０と決めておいてもよい。
【００６９】
ステップＳ１５でＹＥＳの場合には、記録可能メディアからバックアップ録画した放送信号のみを消去し（ステップＳ１７）、処理を終了する。元々記録されていたデータはユーザが意図して記録したものであるため、残しておく。ここで、ディスク型の可搬記録媒体の場合、消去とは、録画データ自体を消すのではなく、録画データの管理データだけを消して、後に上書き可能な状態にしておくことを指すが、録画データに空白データで上書きして録画データ自体を消去してもよい。
【００７０】
このように、制御部１５は、記録可能メディアの記録可能な容量が所定容量Ｒ１以下になったときに、記録可能メディアからバックアップ用に常時記録した放送信号のみを消去するように、入出力Ｉ／Ｆ１４を制御することが好ましい。この制御は、所定条件の判定を採用しない場合にも適用できる。
【００７１】
勿論、ステップＳ１７の処理後、残量は回復しているためステップＳ１１から再度処理を実行すればよい。また、処理の流れは図示していないが、ステップＳ１５でＹＥＳの判定後にステップＳ１７の処理を施した場合、ステップＳ１３又はステップＳ１４へ移行し、記録可能メディアへの常時録画を再開することが好ましい。
【００７２】
ステップＳ１５でＮＯの場合、図３のステップＳ５と同様の判定、つまり電源オフ操作があるか否か（並びに常時録画終了指示があるか否か）の判定を行う（ステップＳ１６）。ステップＳ１６でＹＥＳの場合には、ステップＳ１７へ進み録画データの消去を実行して処理を終了する。なお、ここでのオフ操作にも、待機状態にする操作を含めてよい。このような消去の後、制御部１５は、電源を落とす、又は待機状態にすればよい。一方、
ステップＳ１６で常時録画終了指示があると判定された場合には、ステップＳ１７の処理後、残量は回復しているため、ステップＳ１１から再度処理を実行すればよい。
【００７３】
このように、制御部１５は、録画再生装置１の電源がユーザによりオフ操作（当然、正常なオフ操作）された場合に、記録可能メディアからバックアップ用に常時記録した放送信号のみを消去するように、入出力Ｉ／Ｆ１４を制御することが好ましい。この制御は、所定条件の判定を採用しない場合にも適用できる。同様に、制御部１５は、メモリディスク１０内の揮発性メモリへの常時記録がユーザにより停止操作された場合に、記録可能メディアからバックアップ用に常時記録した放送信号のみを消去するように入出力Ｉ／Ｆ１４を制御することが好ましい。この制御は、所定条件の判定を採用しない場合にも適用できる。
【００７４】
なお、ステップＳ１７で録画データの消去に関して説明したが、録画データの消去は、例えば受信中のチャンネルがユーザ指示で切り替わった場合などでも実行するようにしてもよく、この場合、記録可能メディアだけでなくメモリディスク１０内のデータも消去してもよい。
【００７５】
ステップＳ１６でＮＯの場合にはステップＳ１２へ戻る。ここで、ステップＳ１２に戻る代わりに、ステップＳ１３へ戻るか、或いはステップＳ１４，Ｓ１５の処理を継続してもよい。
【００７６】
次に、図５を参照しながら、図３のステップＳ３又は図４のステップＳ１３において制御部１５が判定する上記所定条件の様々な例について説明する。図５は、図３又は図４の常時録画処理における所定条件判定処理の一例を説明するためのフロー図である。
【００７７】
まず、ユーザ設定により記録可能メディアへの常時録画（バックアップ用の常時録画）が許可されているか否かを判定し（ステップＳ２１）、ＹＥＳの場合のみステップＳ４／Ｓ１４へ進んで双方への常時録画を実行する。そのため、制御部１５は、リモコン受信部１６からの常時録画を実行するか否かの設定が可能で且つ内部メモリなどからその設定を読み出せるように構成しておけばよい。例えばリモコンのメニューキーなどの押下に応じて、表示出力部１９からメニュー画面のＯＳＤ（On Screen Display）画像を出力し、更なるリモコンの操作を受け付けてユーザに設定を行わせるなどすればよい。
【００７８】
ステップＳ２１でＮＯの場合、記録可能メディアに対する録画予約が未設定であるか否かを判定し（ステップＳ２２）、ＹＥＳの場合のみステップＳ４／Ｓ１４へ進んで双方への常時録画を実行する。そのため、録画再生装置１は、記録予約機能（録画予約機能）をもち、制御部１５は、リモコン受信部１６からの録画予約を実行する設定が可能で且つ内部メモリなどからその設定を読み出せるように構成しておけばよい。録画予約もリモコン等からのユーザ操作に応じて設定し、制御部１５が内部のタイマを参照しながら、予約した時間が到来したときに、記録可能メディアに録画するよう入出力Ｉ／Ｆ１４等を制御する。
【００７９】
また、ステップＳ２２の代わりに、所定容量以上を使用するような録画予約が未設定であるか否かを判定するようにしてもよい。また、ステップＳ２２の判定処理を採用しない場合であっても、録画予約した時間が到来する前に、記録可能メディアから常時録画した分の録画データを消去していれば、常時録画分を気にすることなく録画予約を遂行することができる。
【００８０】
ステップＳ２２でＮＯの場合、過去の一定期間に停電が発生したという履歴があるか否かを判定し（ステップＳ２３）、ＹＥＳの場合のみステップＳ４／Ｓ１４へ進んで双方への常時録画を実行する。そのため、制御部１５は、停電（電源が何らかの理由で抜かれた場合も含む）を検出し、その停電の履歴を内部メモリなどに格納し、その履歴を読み出せるように構成しておけばよい。
【００８１】
ステップＳ２３でＮＯの場合、記録可能メディアは書き換え可能であるか否かを判定し（ステップＳ２４）、ＹＥＳの場合のみステップＳ４／Ｓ１４へ進んで双方への常時録画を実行する。一度の書き込みのみが可能なディスクの場合、常時記録に使用すると多くのディスクが無駄になってしまうためである。制御部１５は、入出力Ｉ／Ｆ１４を介して、書き換え可能な記録媒体であるかを、装着された可搬記録媒体の種別をチェックするなどして判定する。この判定は、ステップＳ２／Ｓ１２の判定時に併せて実行しておくことが好ましい。
【００８２】
ステップＳ２４でＮＯの場合、記録可能メディアの記録可能な容量が所定容量Ｒ０以上であるか否かを判定し（ステップＳ２５）、ＹＥＳの場合のみステップＳ４／Ｓ１４へ進んで双方への常時録画を実行する。そのため、制御部１５は、入出力Ｉ／Ｆ１４を介して記録可能メディアの残量を検出する残量検出部を設けておけばよい。また、常時録画によっても記録可能メディアの残量が変わるため、常時録画中も常に検出しておくとよい。
【００８３】
ステップＳ２５でＮＯの場合、同じ記録可能メディアへの常時記録が所定回数未満のみ実行されているか否かを判定し（ステップＳ２６）、ＹＥＳの場合のみステップＳ４／Ｓ１４へ進んで双方への常時録画を実行する。一般的に記録可能メディアは書き換え可能であっても書き換え可能回数に限りがあるという記録可能メディアの耐性を考慮し、このような書き込み条件で常時録画の実行／停止を制御することで、利用する記録可能メディアを破壊したり異常になることを防ぐことができる。
【００８４】
そのため、制御部１５は、入出力Ｉ／Ｆ１４を介して記録可能メディアの個体を特定するためのディスクＩＤ等を内部メモリなどに記憶しておき、現在の記録可能メディアと比較して個体を特定するように構成しておく。このような構成により、同じ記録可能メディアか他の記録可能メディアかは、喩え一旦取り外されたとしても、制御部１５内のメモリに格納した装着済みの記録可能メディアの情報（例えばディスクＩＤ等の情報）を確認することで判定できる。さらに、制御部１５は、内部メモリなどに個体毎の常時録画実行回数をカウントした結果を格納しておけばよい。なお、個体の特定を行わなくても、一度の装着されてから取り出されるまでのみ、回数をカウントしておき、このカウントに基づいてのみ判定してもよい。
【００８５】
ステップＳ２６でＮＯの場合、同じ記録可能メディアへのデータ書き込み時の欠陥領域のエラーが所定頻度又は所定回数に至っていないか否かを判定し（ステップＳ２７）、ＹＥＳの場合のみステップＳ４／Ｓ１４へ進んで双方への常時録画を実行する。記録可能メディアの信頼性を考慮したこのような書き込み条件を制御することで、常時録画したデータが再生エラーになってしまうことを防ぐことができる。ここでエラーを所定頻度と比較する場合には、エラーの発生間隔も考慮して判定、つまり所定時間内での発生回数で判定すればよい。
【００８６】
エラー検出のために、制御部１５は、入出力Ｉ／Ｆ１４を介して、記録可能メディアの特定を行うように構成すると共に、入出力Ｉ／Ｆ１４を介して記録可能メディアへのデータ書き込み時にエラーを検出する検出部を備えるように構成すればよい。エラーは、この常時録画を実行した結果、他の場面で記録可能メディアへ記録を実行した結果、テスト記録を実行した結果などに検出し、制御部１５の内部メモリなどにエラー履歴を読み出し可能な状態で記録しておけばよい。このように、個体を特定し同じ記録可能メディアについて格納した履歴のみに基づいて判定してもよいが、入出力Ｉ／Ｆ１４側のエラーの可能性も鑑みて今までの全ての（又は過去の一定期間内に使用された）記録可能メディアについての履歴を総合して、記録可能メディアの個体を特定せず判定してもよい。この場合、入出力Ｉ／Ｆ１４の正常／異常が判定できる。なお、実際の常時録画時に書き込みエラーが発生すれば、記録可能メディアへの常時録画を終了させればよく、そのとき、制御部１５内のメモリにエラーの記録を残せばよい。
【００８７】
ステップＳ２７でＮＯの場合にはステップＳ６／Ｓ１８へ進み、メモリディスク１０のみへの常時録画を実行する。ステップＳ２１〜Ｓ２７の判定は、いずれから実行してもよいが、制御部１５等に負荷や時間を要さない判定処理から実行することが望ましい。また、ステップＳ２１〜Ｓ２７の判定の結果、一つでもＹＥＳの場合にステップＳ４／Ｓ１４へ進む例を挙げたが、これらの判定処理のいずれか複数又は全部がＹＥＳの場合にのみ、ステップＳ４／Ｓ１４へ進むような処理を採用してもよい。また、ステップＳ２１〜Ｓ２７の判定のそれぞれにおいて、ＮＯと判定された場合には、記録可能メディアの交換を促すような制御、例えば記録可能メディアをイジェクトするとかポップアップ画像をＯＳＤ表示させるなどの制御を行うようにしてもよい。
【００８８】
以上、録画再生装置１での処理として、常時録画する方法や常時録画したデータを追従再生する方法を説明したように、本発明は記録再生方法としての形態も採用できる。本発明に係る記録再生方法は、図１の構成例で説明すると、制御部１５が、デコーダ１７、音声出力部１８、及び表示出力部１９で放送信号を再生中、メモリディスク１０に対して揮発性メモリに放送信号を記録させる（つまり常時記録させる）ステップと、制御部１５が、メモリディスク１０内の揮発性メモリに常時記録された放送信号を、リモコン受信部１６等で受けたユーザ操作に応じて任意の時点から再生させるステップと、を含むものである。
【００８９】
そして、この記録再生方法は、その主たる特徴として、メモリディスク１０内の揮発性メモリへの常時記録時に、制御部１５が、入出力Ｉ／Ｆ１４に記録可能な可搬記録媒体が装着されているか否かを判定する判定ステップと、装着されていると判定された場合、制御部１５が、可搬記録媒体にバックアップ用の常時記録を行うように入出力Ｉ／Ｆ１４を制御するステップと、をさらに含む。その他の応用については、録画再生装置１における処理として説明したものと同様であり、その説明を省略する。
【符号の説明】
【００９０】
１…録画再生装置、１０…メモリディスク、１１…アンテナ、１２…チューナ、１３…トランスコーダ、１４…入出力Ｉ／Ｆ、１５…制御部、１５ａ…Ｉ／Ｆ、１５ｂ…ＡＴＡ  Ｉ／Ｆ、１６…リモコン受信部、１７…デコーダ、１８…音声出力部、１９…表示出力部、２０…ＡＴＡブリッジ、２１…ファイルシステムコントローラ、２２ａ，２２ｂ，２２ｃ…メモリコントローラ、２３ａ，２３ａ′，２３ｂ，２３ｂ′，２３ｃ，２３ｃ′，２３ｄ，２３ｄ′，２４ａ，２４ｂ，２４ｃ，２４ｄ，２５ａ，２５ｂ，２５ｃ，２５ｄ…ＳＤＲＡＭ、２６…電源制御回路、２７…バッテリ。
【図１】
2010205309.tif 000003
【図２】
2010205309.tif 000004
【図３】
2010205309.tif 000005
【図４】
2010205309.tif 000006
【図５】
2010205309.tif 000007